(57)【特許請求の範囲】
【請求項１】
導電性ゲル、および、前記導電性ゲルを外部に設けられた電極に対して接触可能に保持する保持面を有し、前記電極に対して着脱可能に設けられるベース部材を備える電極用パッドを収容するパッド用トレイであって、
前記パッド用トレイは、
ベース部と、
前記ベース部の表面側が凹み、前記電極用パッドを収容する凹部領域と、を含み、
前記凹部領域は、
底部領域と、
前記底部領域から起立し、前記電極用パッドを囲むように設けられる側壁領域とを有し、
前記凹部領域は、
前記側壁領域から突出するように設けられ、前記凹部領域に前記電極用パッドが収容された状態で前記電極用パッドを前記底部領域に付勢する支持領域をさらに有する、パッド用トレイ。
【請求項２】
前記凹部領域は、
前記電極用パッドを収容した際に、前記保持面に当接し、前記保持面と前記底部領域との間に所定の間隙を形成する当接部をさらに含む、請求項１に記載のパッド用トレイ。
【請求項３】
前記電極は、円筒形状を有し、
前記電極用パッドは、一端側が開放した円筒形状を有するとともに、その内側に、前記電極の外周面に係合する凸部領域を有し、
前記支持領域は、前記凹部領域に前記電極用パッドを収容した場合に、円周上において前記凸部領域に対してずれた位置に設けられている、請求項２に記載のパッド用トレイ。
【請求項４】
前記電極用パッドを前記支持領域と前記底部領域とにより挟み込む力は、前記凸部領域が前記電極の外周面に係合する力よりも小さい、請求項３に記載のパッド用トレイ。
【請求項５】
前記電極を保持するベルト材をさらに備え、
前記電極は、前記ベルト材の上に所定の間隔で複数個配置され、
前記凹部領域は、前記間隔と等しい間隔で設けられている、請求項１から４のいずれか１項に記載のパッド用トレイ。
【請求項６】
前記ベルト材は、短辺と長辺とを有する長方形形状であり、
前記電極は、前記ベルト材の上に前記短辺方向に沿って、第１短辺間隔で複数個配置され、
前記凹部領域は、前記第１短辺間隔と等しい間隔で設けられている、請求項５に記載のパッド用トレイ。
【請求項７】
前記ベルト材は、短辺と長辺とを有する長方形形状であり、
前記電極は、前記ベルト材の上に前記長辺方向に沿って、第１長辺間隔で複数個配置され、
前記凹部領域は、前記第１長辺間隔と等しい間隔で設けられている、請求項５に記載のパッド用トレイ。
【請求項８】
前記ベルト材は、短辺と長辺とを有する長方形形状であり、
前記電極は、前記ベルト材の上に前記短辺方向に沿って、第１短辺間隔で複数個配置され、
前記電極は、前記ベルト材の上に前記長辺方向に沿って、第１長辺間隔で複数個配置され、
前記凹部領域は、前記短辺方向は前記第１短辺間隔と等しい間隔で設けられ、前記長辺方向は前記第１長辺間隔と等しい間隔で設けられている、請求項５に記載のパッド用トレイ。
【請求項９】
前記ベルト材は、短辺と長辺とを有する長方形形状であり、
前記電極は、前記ベルト材の上に前記長辺方向に沿って第１電極、第２電極、第３電極および第４電極の順番に配置され、
前記第１電極と前記第２電極との間は第１長辺間隔で配置され、
前記第２電極と前記第３電極との間は第２長辺間隔で配置され、
前記第３電極と前記第４電極との間は第３長辺間隔で配置され、
前記凹部領域は、
前記第１電極を収容する第１凹部領域と、
前記第２電極を収容する第２凹部領域と、
前記第３電極を収容する第３凹部領域と、
前記第４電極を収容する第４凹部領域とを有し、
前記ベース部の前記表面側において、前記長辺方向に沿って、前記第１凹部領域、前記第３凹部領域、前記第２凹部領域、および前記第４凹部領域の順に配置され、
前記第１凹部領域と前記第２凹部領域との間隔は前記第１長辺間隔に設けられ、
前記第３凹部領域と前記第４凹部領域との間隔は前記第３長辺間隔に設けられている、請求項５に記載のパッド用トレイ。
【請求項１０】
前記パッド用トレイは、板状の樹脂成形品である、請求項１から９のいずれか１項に記載のパッド用トレイ。
【請求項１１】
前記樹脂成形品には、ポリエチレンテレフタラート、ポリエチレン、ポリプロピレン、アクリロニトリル−ブタジエン−スチレン、およびポリスチレンからなる群より選択される樹脂材料が用いられている、請求項１０に記載のパッド用トレイ。
【請求項１２】
前記パッド用トレイの少なくとも前記凹部領域は、前記電極用パッドを前記凹部領域に収容した状態で、前記裏面側から前記電極用パッドの透視が可能に設けられている、請求項１から９のいずれか１項に記載のパッド用トレイ。
【請求項１３】
前記パッド用トレイの少なくとも前記凹部領域は、透光性を有する、請求項１２に記載のパッド用トレイ。
【発明の詳細な説明】
【技術分野】
【０００１】
この発明は、生体に接触される電極に装着される電極用パッドを収容するパッド用トレイに関する。
【背景技術】
【０００２】
生体に接触される電極は、生体への密着性および皮膚追従性を高める観点から、導電性を有する含水状の流動性の高い導電性ゲル（以下、単に、流動性導電性ゲル（通称「ジェル」）と称する）を電極の表面に塗布している。これにより、電極と生体との間の接触抵抗を低減して、生体からの電気信号の測定精度の向上を図っている。
【０００３】
なお、「ゲル」とは、通常、親液性溶質のコロイド溶液であって、弾性力を有し流動性が小さい（ゼリー状）物質を意味する。したがって、本明細書において、単に「導電性ゲル」と示す物質は、通常の弾性力を有し流動性が小さい（ゼリー状）物質を意味し、「流動性導電性ゲル」は、弾力性を有さない流動性に富んだ物質を意味する。
【０００４】
しかし、測定前においては、チューブを用いて流動性導電性ゲルを電極ごとに塗布する必要がある。また、測定後には、電極表面および生体から流動性導電性ゲルを拭き取る作業が必要となる。この流動性導電性ゲルの塗布および拭き取り作業は、測定者に対して煩わしいものである。
【０００５】
なお、下記特許文献１および特許文献２には、生体に接触させる電極の表面に流動性導電性ゲルを設けた生体用電極が開示されている。
【先行技術文献】
【特許文献】
【０００６】
【特許文献１】特開平０４−２４４１７１号公報
【特許文献２】特開平０４−３０３４１５号公報
【発明の概要】
【発明が解決しようとする課題】
【０００７】
電極に導電性ゲルを有する電極パッドを用いた場合には、流動性導電性ゲルの塗布および拭き取り作業に要する労力の軽減が図られる。しかし、導電性ゲルを有する電極パッドの取扱いに関する新たな課題が存在する。
【０００８】
この発明の目的は、導電性ゲルを有する電極パッドを用いた場合の、電極パッドの取扱いを容易にするパッド用トレイを提供することにある。
【課題を解決するための手段】
【０００９】
以下の説明における「導電性ゲル」は、親液性溶質のコロイド溶液であって、弾性力を有し流動性が小さい（ゼリー状）物質のゲルを意味している。
【００１０】
この発明に基づいたパッド用トレイにおいては、導電性ゲル、および、上記導電性ゲルを外部に設けられた電極に対して接触可能に保持する保持面を有し、上記電極に対して着脱可能に設けられるベース部材を備える電極用パッドを収容するパッド用トレイであって、以下の構成を備える。
【００１１】
上記パッド用トレイは、ベース部と、上記ベース部の表面側が凹み、上記電極用パッドを収容する凹部領域とを含み、上記凹部領域は、底部領域と、上記底部領域から起立し、上記電極用パッドを囲むように設けられる側壁領域と、を有する。
【００１２】
他の形態においては、上記凹部領域は、上記電極用パッドを収容した際に、上記保持面に当接し、上記保持面と上記底部領域との間に所定の間隙を形成する当接部をさらに含む。
【００１３】
他の形態においては、上記凹部領域は、上記側壁領域から突出するように設けられ、上記凹部領域に上記電極用パッドが収容された状態で上記電極用パッドを上記底部領域に付勢する支持領域をさらに有する。
【００１４】
他の形態においては、上記電極は、円筒形状を有し、上記電極用パッドは、一端側が開放した円筒形状を有するとともに、その内側に、上記電極の外周面に係合する凸部領域を有し、上記支持領域は、上記凹部領域に上記電極用パッドを収容した場合に、円周上において上記凸部領域に対してずれた位置に設けられている。
【００１５】
他の形態においては、上記電極用パッドを上記支持領域と上記底部領域とにより挟み込む力は、上記凸部領域が上記電極の外周面に係合する力よりも小さい。
【００１６】
他の形態においては、上記電極を保持するベルト材をさらに備え、上記電極は、上記ベルト材の上に所定の間隔で複数個配置され、上記凹部領域は、上記間隔と等しい間隔で設けられている。
【００１７】
他の形態においては、上記ベルト材は、短辺と長辺とを有する長方形形状であり、上記電極は、上記ベルト材の上に上記短辺方向に沿って、第１短辺間隔で複数個配置され、上記凹部領域は、上記第１短辺間隔と等しい間隔で設けられている。
【００１８】
他の形態においては、上記ベルト材は、短辺と長辺とを有する長方形形状であり、上記電極は、上記ベルト材の上に上記長辺方向に沿って、第１長辺間隔で複数個配置され、上記凹部領域は、上記第１長辺間隔と等しい間隔で設けられている。
【００１９】
他の形態においては、上記ベルト材は、短辺と長辺とを有する長方形形状であり、上記電極は、上記ベルト材の上に上記短辺方向に沿って、第１短辺間隔で複数個配置され、上記電極は、上記ベルト材の上に上記長辺方向に沿って、第１長辺間隔で複数個配置され、上記凹部領域は、上記短辺方向は上記第１短辺間隔と等しい間隔で設けられ、上記長辺方向は上記第１長辺間隔と等しい間隔で設けられている。
【００２０】
他の形態においては、上記ベルト材は、短辺と長辺とを有する長方形形状であり、上記電極は、上記ベルト材の上に上記長辺方向に沿って第１電極、第２電極、第３電極および第４電極の順番に配置され、上記第１電極と上記第２電極との間は第１長辺間隔で配置され、上記第２電極と上記第３電極との間は第２長辺間隔で配置され、上記第３電極と上記第４電極との間は第３長辺間隔で配置される。
【００２１】
上記凹部領域は、上記第１電極を収容する第１凹部領域と、上記第２電極を収容する第２凹部領域と、上記第３電極を収容する第３凹部領域と、上記第４電極を収容する第４凹部領域とを有し、上記ベース部の上記表面側において、上記長辺方向に沿って、上記第１凹部領域、上記第３凹部領域、上記第２凹部領域、および上記第４凹部領域の順に配置され、上記第１凹部領域と上記第２凹部領域との間隔は上記第１長辺間隔に設けられ、上記第３凹部領域と上記第４凹部領域との間隔は上記第３長辺間隔に設けられている。
【００２２】
他の形態においては、上記パッド用トレイは、板状の樹脂成形品である。
他の形態においては、上記樹脂成形品には、ポリエチレンテレフタラート、ポリエチレン、ポリプロピレン、アクリロニトリル−ブタジエン−スチレン、およびポリスチレンからなる群より選択される樹脂材料が用いられている。
【００２３】
他の形態においては、上記パッド用トレイの少なくとも上記凹部領域は、上記電極用パッドを上記凹部領域に収容した状態で、裏面側から上記電極用パッドの透視が可能に設けられている。
【００２４】
他の形態においては、上記パッド用トレイの少なくとも上記凹部領域は、透光性を有する。
【発明の効果】
【００２５】
この発明に基づいたパッド用トレイによれば、導電性ゲルを有する電極パッドの取扱いを容易にする。
【図面の簡単な説明】
【００２６】
【図１】実施の形態における体脂肪測定装置の機能ブロック図である。
【図２】実施の形態における体脂肪測定装置における電極の配置例を示す図（背中側から見た図）である。
【図３】実施の形態における体脂肪測定装置が内臓脂肪量を測定する際の動作手順を定めたフローチャートである。
【図４】実施の形態における体脂肪測定装置に用いられる電極ベルトの構造を示す斜視図である。
【図５】実施の形態における体脂肪測定装置に用いられる電極ベルトに設けられる腹部電極の構造を示す斜視図である。
【図６】実施の形態における腹部電極用パッドの構造を示す斜視図である。
【図７】実施の形態における腹部電極用パッドの構造を示す平面図である。
【図８】図７中ＶＩＩＩ−ＶＩＩＩ線矢視断面図である。
【図９】実施の形態における腹部電極用パッドの腹部電極への取付けを示す第１模式図である。
【図１０】実施の形態における腹部電極用パッドの腹部電極への取付けを示す第２模式図である。
【図１１】実施の形態における腹部電極用パッドのベース部材の構造を示す表面側から見た第１斜視図である。
【図１２】図１１中ＸＩＩ−ＸＩＩ線矢視断面図である。
【図１３】実施の形態における腹部電極用パッドのベース部材の構造を示す表面側から見た第２斜視図である。
【図１４】実施の形態における腹部電極用パッドのベース部材の構造を示す裏面側から見た斜視図である。
【図１５】実施の形態における腹部電極用パッドを収容するパッド用トレイの斜視図である。
【図１６】実施の形態における腹部電極用パッドを収容する凹部領域の部分拡大平面図である。
【図１７】図１６中ＸＶＩＩ−ＸＶＩＩ線矢視断面図である。
【図１８】実施の形態における腹部電極用パッドを収容するパッド用トレイに腹部電極用パッドを収容した状態の斜視図である。
【図１９】実施の形態における腹部電極用パッドを収容するパッド用トレイに腹部電極用パッドを収容した状態の部分拡大斜視図である。
【図２０】図１９中ＸＸ線矢視断面図である。
【図２１】図１９中ＸＸＩ線矢視断面図である。
【図２２】実施の形態における腹部電極用パッドを収容するパッド用トレイの平面図である。
【図２３】実施の形態における腹部電極用パッドを収容するパッド用トレイを用いた腹部電極用パッドの腹部電極への取付手順を示す第１斜視図である。
【図２４】実施の形態における腹部電極用パッドを収容するパッド用トレイを用いた腹部電極用パッドの腹部電極への取付手順を示す第２斜視図である。
【図２５】実施の形態における腹部電極用パッドを収容するパッド用トレイを用いた腹部電極用パッドの腹部電極への取付手順を示す第３斜視図である。
【図２６】実施の形態における腹部電極用パッドを収容するパッド用トレイを用いた腹部電極用パッドの腹部電極への取付手順を示す第４斜視図である。
【図２７】実施の形態における腹部電極用パッドを収容するパッド用トレイを用いた腹部電極用パッドの腹部電極への取付手順を示す第５斜視図である。
【図２８】実施の形態における腹部電極用パッドを収容する他の形態のパッド用トレイの斜視図である。
【図２９】実施の形態における上肢・下肢電極が装着される手足クリップの構造を示す図である。
【図３０】実施の形態における上肢・下肢電極用パッドの構造を示す斜視図である。
【図３１】図３０中ＸＸＸＩ−ＸＸＸＩ線矢視断面図である。
【図３２】図３０中ＸＸＸＩＩ−ＸＸＸＩＩ線矢視断面図である。
【図３３】実施の形態における上肢・下肢電極用パッドの上肢・下肢電極への取付け状態を示す斜視図である。
【図３４】図３３中ＸＸＸＩＶ−ＸＸＸＩＶ線矢視断面図である。
【図３５】実施の形態における上肢・下肢電極用パッドのベース部材の構造を示す斜視図である。
【図３６】実施の形態における上肢・下肢電極用パッドを収容するパッド用トレイに２つの上肢・下肢電極用パッドを収容した状態の斜視図である。
【図３７】実施の形態における上肢・下肢電極用パッドを収容するパッド用トレイに１つの上肢・下肢電極用パッドを収容した状態の斜視図である。
【図３８】図３７中ＸＸＸＶＩＩＩ−ＸＸＸＶＩＩＩ線矢視断面図である。
【図３９】図３７中ＸＸＸＩＸ−ＸＸＸＩＸ線矢視断面図である。
【発明を実施するための形態】
【００２７】
以下、この発明に基づいた実施の形態における電極用パッドおよびその電極用パッドを収容するパッド用トレイついて図面を参照して詳細に説明する。なお、以下に説明する各実施の形態において、個数、量などに言及する場合、特に記載がある場合を除き、本発明の範囲は必ずしもその個数、量などに限定されない。また、以下に複数の実施の形態が存在する場合、特に記載がある場合を除き、各々の実施の形態の構成を適宜組み合わせることは、当初から予定されている。各図中、同一符号は同一または相当部分を指し、重複する説明は繰返さない場合がある。
【００２８】
以下に示す実施の形態においては、内臓脂肪量のみならず、全身の脂肪量および身体の特定部位別の脂肪量（上肢および下肢それぞれの脂肪量、体幹の脂肪量ならびに腹部における皮下脂肪量等）を測定することが可能に構成された体脂肪測定装置を例示して説明を行なう。すなわち、「体脂肪測定装置」は「内臓脂肪測定装置」を含む。
【００２９】
なお、「腹部」とは、体幹部のうちの胸部を除く部分である。また、「腹部より離れた部位」とは、上腕、前腕、手首および手指からなる上肢と、横隔膜より所定の距離（たとえば略１０ｃｍ）以上離れた胸部と、肩、首および頭部を含む上体と、大腿、下腿、足首および足指からなる下肢とを含む。また、「体軸」とは、被験者の腹部の横断面に対し略垂直な方向の軸である。また、「腹部前面」とは、被験者の腹部のうち、被験者を正面から観察した場合に視認可能な部分を含む。たとえば、被験者の腹部のうち、被験者のへそおよび背骨を通るとともに被験者の体軸と垂直な軸に沿って、被験者をへそ側から観察した場合に視認可能な部分を含む。また、「腹部背面」とは、被験者の腹部のうち、被験者を後ろから観察した場合に視認可能な部分を含む。たとえば、被験者の腹部のうち、被験者のへそおよび背骨を通るとともに被験者の体軸と垂直な軸に沿って、被験者を背骨側から観察した場合に視認可能な部分を含む。
【００３０】
［体脂肪測定装置］
図１は、本実施の形態における体脂肪測定装置の機能ブロック図である。まず、この図１を参照して、体脂肪測定装置の構成について説明する。
【００３１】
図１を参照して、体脂肪測定装置１は、制御部１０と、定電流生成部２１と、端子切替部２２と、電位差検出部２３と、体格情報計測部２４と、被験者情報入力部２５と、表示部２６と、操作部２７と、電源部２８と、メモリ部２９と、複数の電極とを主として備えている。制御部１０は、演算処理部１１を含む。
【００３２】
体脂肪測定装置１は、複数の電極として、被験者の腹部背面に装着される腹部電極対ＡＰ１〜ＡＰ４と、被験者の上肢に装着される上肢電極Ｈ１１，Ｈ２１と、被験者の下肢に装着される下肢電極Ｆ１１，Ｆ２１とを備えている。
【００３３】
制御部１０は、たとえばＣＰＵ（Central Processor Unit）によって構成され、体脂肪測定装置１の全体的な制御を行なう。具体的には、制御部１０は、上述した各種機能ブロックに対して指令を送出したり、得られた情報に基づいて各種の演算処理を行なったりする。このうち各種の演算処理については、制御部１０に設けられた演算処理部１１によって行なわれる。
【００３４】
腹部電極対ＡＰ１〜ＡＰ４は、それぞれ体軸方向に被験者の腹部背面の表面に装着される。上肢電極Ｈ１１，Ｈ２１は、好適には右手の手首の表面と左手の手首の表面とにそれぞれ装着される。下肢電極Ｆ１１，Ｆ２１は、好適には右足の足首の表面と左足の足首の表面とにそれぞれ装着される。腹部電極対ＡＰ１〜ＡＰ４、上肢電極Ｈ１１，Ｈ２１、および下肢電極Ｆ１１，Ｆ２１は、それぞれ端子切替部２２と電気的に接続されている。
【００３５】
端子切替部２２は、たとえば複数のリレー回路によって構成される。端子切替部２２は、制御部１０から受けた指令に基づいて、上述した複数の電極の中から選択した特定の電極対と定電流生成部２１とを電気的に接続するとともに、上述した複数の電極の中から選択した特定の電極対と電位差検出部２３とを電気的に接続する。
【００３６】
これにより、端子切替部２２によって定電流生成部２１と電気的に接続された電極対が定電流印加電極対として機能するようになるとともに、端子切替部２２によって電位差検出部２３と電気的に接続された電極対が電位差検出電極対として機能するようになる。端子切替部２２による電気的な接続は、測定動作中において種々切り替えられる。
【００３７】
定電流生成部２１は、制御部１０から受けた指令に基づいて定電流を生成し、生成した定電流を端子切替部２２に供給する。定電流生成部２１は、たとえば、体組成情報を測定するために好適に使用される高周波電流（たとえば、５０ｋＨｚ，５００μＡ）を供給する。これにより、端子切替部２２によって定電流生成部２１と電気的に接続された電極対、すなわち定電流印加電極対を介して定電流が被験者に印加されることになる。
【００３８】
電位差検出部２３は、端子切替部２２によって電位差検出部２３と電気的に接続された電極対、すなわち電位差検出電極対の電極間における電位差を検出し、検出した電位差を制御部１０へ出力する。これにより、定電流が被験者に印加された状態における電位差検出電極対の電極間の電位差が検出されることになる。
【００３９】
体格情報計測部２４および被験者情報入力部２５は、制御部１０の演算処理部１１において行なわれる演算処理に利用される被験者情報を得るための部位である。ここで、被験者情報とは、被験者に関する情報を意味し、たとえば年齢、性別および体格情報等の情報のうち、少なくともいずれか１個を含む。また、体格情報とは、被験者の、身体の特定の部位におけるサイズに関する情報、たとえば、ウエスト長（腹部周長）、腹部横幅および腹部厚み等のうちの少なくともいずれか１個を含む情報と、身長および体重等の情報とを含む。体格情報計測部２４は、被験者の体格情報を自動計測する部位であり、計測した体
格情報を制御部１０へ出力する。一方、被験者情報入力部２５は、被験者情報を入力するための部位であり、入力された被験者情報を制御部１０へ出力する。
【００４０】
なお、図１に示される機能ブロック図においては、体格情報計測部２４および被験者情報入力部２５の両方が体脂肪測定装置１に設けられた場合を例示しているが、これら体格情報計測部２４および被験者情報入力部２５は、必ずしも必須の構成ではない。これら体格情報計測部２４および／または被験者情報入力部２５を設けるか否かについては、制御部１０の演算処理部１１において行なわれる演算処理に利用される被験者情報の種類に基づいて適宜選択される。また、被験者情報のうち、体格情報については、体格情報計測部２４で自動計測を行なうように構成してもよいし、被験者情報入力部２５において被験者自らが体格情報を入力する構成としてもよい。
【００４１】
演算処理部１１は、インピーダンス算出部１２と各種脂肪量算出部１３とを含んでいる。インピーダンス算出部１２は、定電流生成部２１によって生成された定電流の電流値と、電位差検出部２３において検出されて制御部１０が受けた電位差情報とに基づいて各種インピーダンスを算出する。
【００４２】
各種脂肪量算出部１３は、インピーダンス算出部１２において得られたインピーダンス情報と、体格情報計測部２４および／または被験者情報入力部２５から受けた被験者情報とに基づいて各種脂肪量を算出する。各種脂肪量算出部１３は、たとえば被験者の全身の体脂肪量を算出する体脂肪量算出部１４、被験者の、身体の特定部位別の脂肪量を算出する部位別脂肪量算出部１５、被験者の内臓脂肪量を算出する内臓脂肪量算出部１６および被験者の腹部における皮下脂肪量を算出する皮下脂肪量算出部１７のうちの少なくともいずれか１個を含む。なお、体脂肪量算出部１４および皮下脂肪量算出部１７は、内臓脂肪量算出部１６に含まれる構成であってもよい。
【００４３】
表示部２６は、演算処理部１１において算出された各種脂肪量の情報を表示する。表示部２６としては、たとえばＬＣＤ（Liquid Crystal Display）が利用可能である。なお、表示部２６において表示される脂肪量としては、たとえば被験者の全身の体脂肪量、被験者の、身体の特定部位別の脂肪量、内臓脂肪量および腹部における皮下脂肪量等が挙げられる。ここで、脂肪量とは、たとえば脂肪重量、脂肪面積、脂肪体積および脂肪レベル等、脂肪の量を指し示す指標を意味し、特に内臓脂肪量については、内臓脂肪重量のみならず、内臓脂肪面積、内臓脂肪体積および内臓脂肪レベルのうちの少なくともいずれか１個を指す。
【００４４】
操作部２７は、体脂肪測定装置１に対して被験者が命令を入力するための部位であり、たとえば被験者が押下可能なキー等によって構成される。
【００４５】
電源部２８は、制御部１０等に電力を供給するための部位であり、バッテリ等の内部電源および商用電源等の外部電源等が含まれる。
【００４６】
メモリ部２９は、体脂肪測定装置１に関する各種のデータおよびプログラムを記憶するための部位であり、たとえば上述した被験者情報、算出された内臓脂肪量、および後述する体脂肪測定処理を実行するための体脂肪測定プログラム等を記憶している。
【００４７】
次に、本実施の形態における体脂肪測定装置１において行なわれる演算処理の一例について説明する。上述したように、本実施の形態における体脂肪測定装置１は、各種脂肪量算出部１３において各種の脂肪量が測定可能であるが、以下においては内臓脂肪量を示す指標としての、内臓脂肪面積の算出の際に実施される演算処理を例示する。
【００４８】
図１を参照して、インピーダンス算出部１２は、定電流生成部２１において生成される電流値と、電位差検出部２３において検出される電位差とに基づいて、２種類のインピーダンスを算出する。２種類のインピーダンスの一方は、被験者の腹部における除脂肪量を反映するインピーダンス（以下、インピーダンスをＺｔとも称する。）である。他方のインピーダンスは、被験者の腹部における皮下脂肪量を反映するインピーダンス（以下、インピーダンスをＺｓとも称する。）である。
【００４９】
内臓脂肪量算出部１６は、算出された２種類のインピーダンスＺｔ，Ｚｓと、被験者の体格情報（ウエスト長）とに基づいて、被験者の内臓脂肪量、たとえば内臓脂肪面積（単位：ｃｍ２）を算出する。具体的には、たとえば、２種類のインピーダンスＺｔ，Ｚｓおよび被験者のウエスト長と内臓脂肪面積との関係を表わす以下のような式（１）によって、内臓脂肪面積Ｓｖが算出される。
【００５０】
Ｓｖ＝ａ×Ｗ２−ｂ×（１／Ｚｔ）−ｃ×Ｗ×Ｚｓ−ｄ・・・（１）
（ただし、ａ，ｂ，ｃ，ｄ：係数、Ｗ：ウエスト長）。
【００５１】
また、皮下脂肪量算出部１７は、算出されたインピーダンスＺｓと、被験者の体格情報（ウエスト長）とに基づいて、被験者の皮下脂肪量、たとえば皮下脂肪面積（単位：ｃｍ２）を算出する。具体的には、たとえば、インピーダンスＺｓおよび被験者のウエスト長と皮下脂肪面積との関係を表わす以下のような式（２）によって、皮下脂肪面積Ｓｓが算出される。
【００５２】
Ｓｓ＝ｅ×Ｗ×Ｚｓ＋ｆ・・・（２）
（ただし、ｅ，ｆ：係数、Ｗ：ウエスト長）。
【００５３】
また、被験者の全身の体脂肪量を算出する場合には、体脂肪量算出部１４は、算出されたインピーダンスＺｔと、被験者の体格情報に含まれる１個の情報（たとえば身長）とに基づいて除脂肪量ＦＦＭ（単位：ｋｇ）を算出する。具体的には、たとえば、インピーダンスＺｔおよび被験者の身長と除脂肪量との関係を表わす以下のような式（３）によって、除脂肪量ＦＦＭが算出される。
【００５４】
ＦＦＭ＝ｉ×Ｈ２／Ｚｔ＋ｊ・・・（３）
（ただし、ｉ，ｊ：係数、Ｈ：身長）。
【００５５】
上記のような式（１），（２），（３）の各々における係数は、たとえばＭＲＩ（Magnetic  Resonance  Imaging）による測定結果に基づく回帰式により定められる。また、式（１），（２），（３）の各々における係数は、年齢および／または性別ごとに定められてもよい。
【００５６】
そして、体脂肪量算出部１４は、算出されたインピーダンスＺｔと、被験者情報に含まれる少なくともいずれか１個の情報（たとえば体重）とに基づいて、被験者の体脂肪量、たとえば体脂肪率（％）を算出する。具体的には、たとえば、体脂肪率は、除脂肪量ＦＦＭと被験者の体重とに基づいて、以下のような式（４）により算出される。
【００５７】
体脂肪率＝（Ｗｔ−ＦＦＭ）／Ｗｔ×１００・・・（４）
（ただし、Ｗｔ：体重）。
【００５８】
図２は、本発明の実施の形態に係る体脂肪測定装置における電極の配置例を示す図である。図２では、上肢電極、下肢電極、腹部電極が配置された状態が示されている。図２は、被験者の背中側から見た電極の配置例である。
【００５９】
図２を参照して、体脂肪測定装置１は、電極ベルト１００および手足クリップ４００を備える。電極ベルト１００は、腹部電極対ＡＰ１，ＡＰ２，ＡＰ３，ＡＰ４とベルト材１０１とが一体的に形成されたものである。腹部電極対ＡＰ１は、腹部電極Ａ１１およびＡ２１を含む。腹部電極対ＡＰ２は、腹部電極Ａ１２およびＡ２２を含む。腹部電極対ＡＰ３は、腹部電極Ａ１３およびＡ２３を含む。腹部電極対ＡＰ４は、腹部電極Ａ１４およびＡ２４を含む。
【００６０】
腹部電極対ＡＰ１，ＡＰ２，ＡＰ３，ＡＰ４は、被験者の腹部背面において体軸方向に配置され、かつ体軸と略垂直な方向に互いに間隔をあけて配置される。たとえば、腹部電極対ＡＰ２は、腹部電極対ＡＰ１の腹部電極Ａ１１，Ａ２１を通る軸から所定距離離れて配置される。
【００６１】
腹部電極対ＡＰ１，ＡＰ２，ＡＰ３，ＡＰ４の各々の電極間距離は略等しい。たとえば、腹部電極対ＡＰ１の腹部電極Ａ１１，Ａ２１間の距離と腹部電極対ＡＰ２の腹部電極Ａ１２，Ａ２２間の距離とは略等しい。腹部電極対ＡＰ１，ＡＰ２，ＡＰ３，ＡＰ４の電極の各々は、対応する他の電極対の電極と体軸に略垂直な方向に整列して配置される。すなわち、腹部電極Ａ１１，Ａ１２，Ａ１３，Ａ１４は体軸と略垂直な方向に一列に配置される。腹部電極Ａ２１，Ａ２２，Ａ２３，Ａ２４は体軸と略垂直な方向に一列に配置される。
【００６２】
なお、腹部電極対ＡＰ１，ＡＰ２，ＡＰ３，ＡＰ４は、体軸方向に一列に配置される構成であってもよい。すなわち、腹部電極対ＡＰ２，ＡＰ３，ＡＰ４は、腹部電極対ＡＰ１の腹部電極ＡＰ１１，ＡＰ２１を通る軸上に配置される構成であってもよい。
【００６３】
また、ある腹部電極対が他の腹部電極対を挟む位置に配置される構成であってもよい。たとえば、腹部電極対ＡＰ１，ＡＰ２が体軸方向に一列に配置され、かつ腹部電極対ＡＰ１が腹部電極対ＡＰ２を挟む位置に配置される。また、腹部電極対ＡＰ３，ＡＰ４が体軸方向に一列に配置され、かつ腹部電極対ＡＰ３が腹部電極対ＡＰ４を挟む位置に配置される構成であってもよい。
【００６４】
手足クリップ４００は、それぞれ上肢電極Ｈ１１，Ｈ２１、および下肢電極Ｆ１１，Ｆ２１を保持し、それぞれ右手の手首の表面、左手の手首の表面、右足の足首の表面、および、左足の足首の表面に装着されている。
【００６５】
定電流生成部２１は、端子切替部２２によって定電流生成部２１と電気的に接続された電極対（以下、電流電極対とも称する）の電極間に電流を流す。
【００６６】
そして、電位差検出部２３は、端子切替部２２によって電位差検出部２３と電気的に接続された電極対（以下、電圧電極対とも称する）の電極間の電位差を検出する。
【００６７】
内臓脂肪量算出部１６は、電位差検出部２３によって検出された電圧電極対の電極間の電位差に基づいて被験者の内臓脂肪量を算出する。
【００６８】
［体脂肪測定装置の動作］
次に、本実施の形態における体脂肪測定装置が内臓脂肪量を測定する際の動作について説明する。
【００６９】
図３は、本実施の形態における体脂肪測定装置が内臓脂肪量を測定する際の動作手順を定めたフローチャートである。図３のフローチャートに示す処理は、予めプログラムとしてメモリ部２９に格納されており、制御部１０がこのプログラムを読み出して実行することにより、内臓脂肪測定処理の機能が実現される。
【００７０】
図３を参照して、制御部１０は、体格情報（ウエスト長）を含む被験者情報の入力を受け付ける（ステップＳ２）。ここで受け付けた被験者情報は、たとえばメモリ部２９に一時的に保存される。
【００７１】
次に、制御部１０は、測定開始の指示があったか否かを判断する（ステップＳ４）。制御部１０は、測定開始の指示があるまで待機する（ステップＳ４においてＮＯ）。制御部１０は、測定開始の指示を検知した場合（ステップＳ４においてＹＥＳ）、電極の設定を行なう（ステップＳ８）。
【００７２】
より具体的には、制御部１０は、まずインピーダンスＺｔの算出処理を行なう。すなわち、制御部１０は、たとえば１対の上肢電極Ｈ１１，下肢電極Ｆ１１および１対の上肢電極Ｈ２１，下肢電極Ｆ２１をそれぞれ電流電極対として選択し、腹部電極対ＡＰ１を電圧電極対として選択する。
【００７３】
端子切替部２２は、制御部１０の制御に基づいて、１対の上肢電極Ｈ１１，下肢電極Ｆ１１および１対の上肢電極Ｈ２１，下肢電極Ｆ２１を定電流生成部２１と電気的に接続し、かつ腹部電極対ＡＰ１を電位差検出部２３と電気的に接続する（ステップＳ８）。ここで、端子切替部２２は、制御部１０の制御に基づいて、選択されていない電極と定電流生成部２１および電位差検出部２３との電気的接続を切断する。
【００７４】
定電流生成部２１は、制御部１０の制御に基づいて、上肢から下肢の方向に電流を流す。たとえば、定電流生成部２１は、上肢電極Ｈ１１および上肢電極Ｈ２１から下肢電極Ｆ１１および下肢電極Ｆ２１へ電流を流す（ステップＳ１０）。この場合、端子切替部２２は、上肢電極Ｈ１１と上肢電極Ｈ２１とを短絡し、かつ下肢電極Ｆ１１と下肢電極Ｆ２１とを短絡させる構成であることが好ましい。なお、定電流生成部２１および端子切替部２２は、上肢電極Ｈ１１，Ｈ２１のいずれか１個から下肢電極Ｆ１１，Ｆ２１のいずれか１個へ電流を流す構成であってもよい。
【００７５】
この状態において、電位差検出部２３は、制御部１０の制御に基づいて、腹部電極対ＡＰ１の腹部電極Ａ１１，Ａ２１間の電位差を検出する（ステップＳ１２）。
【００７６】
そして、制御部１０は、腹部電極対ＡＰ２，ＡＰ３，ＡＰ４を順番に電圧電極対として選択する。すなわち、端子切替部２２は、制御部１０の制御に基づいて、腹部電極対ＡＰ２，ＡＰ３，ＡＰ４を順番に電位差検出部２３と電気的に接続する（ステップＳ８）。そして、電位差検出部２３は、制御部１０の制御に基づいて、腹部電極対ＡＰ２，ＡＰ３，ＡＰ４の、各々の電極間の電位差を順番に検出する（ステップＳ１２）。
【００７７】
インピーダンス算出部１２は、すべての電極対の組み合わせに対して電位差の検出が終了した場合、ここでは腹部電極対ＡＰ１，ＡＰ２，ＡＰ３，ＡＰ４の各々の電極間における電位差の検出が終了した場合（ステップＳ１３でＹＥＳ）、定電流生成部２１が流した電流値と、電位差検出部２３が検出した各電位差とに基づいて、インピーダンスＺｔ１〜Ｚｔ４を算出する（ステップＳ１４）。インピーダンス算出部１２が算出したインピーダンスＺｔ１〜Ｚｔ４の値は、たとえばメモリ部２９に一時的に保存される。
【００７８】
次に、制御部１０は、インピーダンスＺｓの算出処理を行なう。すなわち、制御部１０は、腹部電極対ＡＰ１を電流電極対として選択し、腹部電極対ＡＰ２を電圧電極対として選択する。端子切替部２２は、制御部１０の制御に基づいて、腹部電極対ＡＰ１を定電流生成部２１と電気的に接続し、かつ腹部電極対ＡＰ２を電位差検出部２３と電気的に接続する（ステップＳ１６）。ここで、端子切替部２２は、制御部１０の制御に基づいて、各腹部電極対を選択的に電位差検出部２３と電気的に接続し、選択されていない腹部電極対、上肢電極および下肢電極と定電流生成部２１および電位差検出部２３との電気的接続を切断する。
【００７９】
定電流生成部２１は、制御部１０の制御に基づいて、腹部電極対ＡＰ１の腹部電極Ａ１１，Ａ２１間に電流を流す（ステップＳ１８）。
【００８０】
この状態において、電位差検出部２３は、制御部１０の制御に基づいて、腹部電極対ＡＰ２の腹部電極Ａ１２，Ａ２２間の電位差を検出する（ステップＳ２０）。
【００８１】
制御部１０は、腹部電極対ＡＰ３およびＡＰ４を順番に電圧電極対として選択する。すなわち、端子切替部２２は、制御部１０の制御に基づいて、腹部電極対ＡＰ３およびＡＰ４を順番に電位差検出部２３と電気的に接続する（ステップＳ１６）。電位差検出部２３は、制御部１０の制御に基づいて、腹部電極対ＡＰ３およびＡＰ４の、各々の電極間の電位差を順番に検出する（ステップＳ２０）。
【００８２】
次に、制御部１０は、腹部電極対ＡＰ２を電流電極対として選択し、腹部電極対ＡＰ１を電圧電極対として選択する。すなわち、端子切替部２２は、制御部１０の制御に基づいて、腹部電極対ＡＰ２を定電流生成部２１と電気的に接続し、かつ腹部電極対ＡＰ１を電位差検出部２３と電気的に接続する（ステップＳ１６）。
【００８３】
定電流生成部２１は、制御部１０の制御に基づいて、腹部電極対ＡＰ２の腹部電極Ａ１２，Ａ２２間に電流を流す（ステップＳ１８）。
【００８４】
この状態において、電位差検出部２３は、制御部１０の制御に基づいて、腹部電極対ＡＰ１の腹部電極Ａ１１，Ａ２１間の電位差を検出する（ステップＳ２０）。
【００８５】
制御部１０は、腹部電極対ＡＰ３およびＡＰ４を順番に電圧電極対として選択する。すなわち、端子切替部２２は、制御部１０の制御に基づいて、腹部電極対ＡＰ３およびＡＰ４を順番に電位差検出部２３と電気的に接続する（ステップＳ１６）。電位差検出部２３は、制御部１０の制御に基づいて、腹部電極対ＡＰ３およびＡＰ４の、各々の電極間の電位差を順番に検出する（ステップＳ２０）。
【００８６】
同様に、制御部１０は、腹部電極対ＡＰ３およびＡＰ４を順番に電流電極対として選択し、腹部電極対ＡＰ３およびＡＰ４の、各々について腹部電極対ＡＰ１〜ＡＰ４のうちの、電流電極対以外の腹部電極対を順番に電圧電極対として選択し、電圧電極対の電極間の電位差をそれぞれ検出する（ステップＳ１６〜Ｓ２０）。
【００８７】
インピーダンス算出部１２は、すべての電極対の組み合わせに対して電流の印加および電位差の検出が終了した場合（ステップＳ２１でＹＥＳ）、定電流生成部２１が流した電流値と、電位差検出部２３が検出した各電位差とに基づいて、インピーダンスＺｓ１〜Ｚｓ１２を算出する（ステップＳ２２）。インピーダンス算出部１２が算出したインピーダンスＺｓ１〜Ｚｓ１２の値は、たとえばメモリ部２９に一時的に保存される。
【００８８】
次に、内臓脂肪量算出部１６は、ステップＳ２で制御部１０が受け付けた体格情報（ウエスト長）と、インピーダンスＺｔ１〜Ｚｔ４と、インピーダンスＺｓ１〜Ｚｓ１２とに基づいて内臓脂肪面積Ｓｖを算出する（ステップＳ２４）。内臓脂肪面積Ｓｖは、上述の式（１）により算出される。なお、本実施の形態のように、体脂肪測定装置１が４個の腹部電極対ＡＰ１〜ＡＰ４を備える場合には、たとえば、４個のインピーダンスＺｔ１〜Ｚｔ４の平均値が式（１）におけるインピーダンスＺｔに代入され、１２個のインピーダンスＺｓ１〜Ｚｓ１２の平均値が式（１）におけるインピーダンスＺｓに代入される。
【００８９】
また、皮下脂肪量算出部１７は、ステップＳ２で制御部１０が受け付けた体格情報（ウエスト長）と、インピーダンスＺｓ１〜Ｚｓ１２とに基づいて皮下脂肪面積Ｓｓを算出する（ステップＳ２６）。皮下脂肪面積Ｓｓは、上述の式（２）により算出される。なお、本実施の形態のように、体脂肪測定装置１が４個の腹部電極対ＡＰ１〜ＡＰ４を備える場合には、たとえば、１２個のインピーダンスＺｓ１〜Ｚｓ１２の平均値が、式（２）におけるインピーダンスＺｓに代入される。
【００９０】
また、体脂肪量算出部１４は、ステップＳ２で入力された被験者情報（たとえば身長）とインピーダンスＺｔ１〜Ｚｔ４とに基づいて、除脂肪量ＦＦＭを算出する（ステップＳ２８）。除脂肪量ＦＦＭは、上述の式（３）により算出される。なお、本実施の形態のように、体脂肪測定装置１が４個の腹部電極対ＡＰ１〜ＡＰ４を備える場合には、たとえば、４個のインピーダンスＺｔ１〜Ｚｔ４の平均値が、式（３）におけるインピーダンスＺｔに代入される。
【００９１】
また、体脂肪量算出部１４は、ステップＳ２で入力された被験者情報（体重）とステップＳ２８で算出した除脂肪量ＦＦＭとに基づいて、体脂肪率を算出する（ステップＳ３０）。体脂肪率は、上述の式（４）により算出される。
【００９２】
そして、表示部２６は、制御部１０の制御に基づいて、各測定結果を表示する（ステップＳ３２）。
【００９３】
以上で体脂肪測定装置１は体脂肪測定処理を終了する。なお、インピーダンスＺｔ１〜Ｚｔ４の典型的な値は、それぞれ約５Ω程度である。また、インピーダンスＺｓ１〜Ｚｓ１２の典型的な値は、それぞれ約８０Ω程度である。
【００９４】
［電極ベルト１００／腹部電極２００］
次に、図４および図５を参照して、電極ベルト１００について説明する。なお、図４は体脂肪測定装置に用いられる電極ベルトの構造を示す斜視図、図５は体脂肪測定装置に用いられる電極ベルトに設けられる腹部電極の構造を示す斜視図である。
【００９５】
この電極ベルト１００は、腹部電極対ＡＰ１，ＡＰ２，ＡＰ３，ＡＰ４とベルト材１０１とが一体的に形成されたものである。ベルト材１０１には、エラストマ材料が用いられ、被験者の腹部に巻き付けやすいように一部に蛇腹構造が採用されている。
【００９６】
腹部電極対ＡＰ１は、腹部電極Ａ１１およびＡ２１を含み、腹部電極Ａ１１およびＡ２１は、体軸方向に所定の間隙を隔て配置されている。腹部電極対ＡＰ２も、腹部電極Ａ１２およびＡ２２を含み、腹部電極Ａ１２およびＡ２２は、体軸方向に所定の間隙を隔て配置されている。腹部電極対ＡＰ３も、腹部電極Ａ１３およびＡ２３を含み、腹部電極Ａ１３およびＡ２３は、体軸方向に所定の間隙を隔て配置されている。腹部電極対ＡＰ４も、腹部電極Ａ１４およびＡ２４を含み、腹部電極Ａ１４およびＡ２４は、体軸方向に所定の間隙を隔て配置されている。
【００９７】
本実施の形態においては、ベルト材１０１は、短辺１０１ａと長辺１０１ｂとを有する長方形形状である。４つの腹部電極Ａ１１、Ａ１２，Ａ１３，Ａ１４は、ベルト材１０１の上に長辺１０１ｂ方向に沿って配置されている。腹部電極Ａ１１と腹部電極Ａ１２との第１長辺間隔はＰ１、腹部電極Ａ１２と腹部電極Ａ１３との第２長辺間隔はＰ２、腹部電極Ａ１３と腹部電極Ａ１４との第３長辺間隔はＰ３である。なお、本実施の形態では、Ｐ１＝Ｐ３、Ｐ２＞Ｐ１の関係である。また、電極の長辺間隔とは、長辺１０１ｂ方向に沿った電極の中心間の距離を意味している。
【００９８】
また、４つの腹部電極Ａ２１、Ａ２２，Ａ２３，Ａ２４も、上述の腹部電極Ａ１１、Ａ１２，Ａ１３，Ａ１４と同様に、ベルト材１０１の上に長辺１０１ｂ方向に沿って配置されている。
【００９９】
また、腹部電極Ａ１１と腹部電極Ａ２１とは、ベルト材１０１の短辺１０１ａ方向に沿って配置されている。腹部電極Ａ１１と腹部電極Ａ２１との第１短辺間隔はＷ１である。なお、電極の短辺間隔とは、短辺１０１ａ方向に沿った電極の中心間の距離を意味している。腹部電極Ａ１２〜Ａ１４と腹部電極Ａ２２〜Ａ２４との間も、それぞれ第１短辺間隔Ｗ１に設けられている。
【０１００】
図５を参照して、腹部電極Ａ１１、Ａ２１、Ａ１２、Ａ２２、Ａ１３、Ａ２３、Ａ１４、Ａ２４に用いられる腹部電極２００の構造を示す。腹部電極２００は円筒形状を有し、直径は約２３ｍｍ程度、ベルト材１０１からの突高さは約６ｍｍ程度である。腹部電極２００は、金属製の円筒電極部２０１を有し、この円筒電極部２０１の胴回り部には、環状の溝凹部２０２が設けられている。
【０１０１】
［腹部電極用パッド３００］
次に、図６および図７を参照して、腹部電極２００に対して、着脱可能に設けられる腹部電極用パッド３００について説明する。なお、図６は腹部電極用パッド３００の構造を示す斜視図、図７は腹部電極用パッド３００の構造を示す平面図である。なお、以下の説明で用いるゲルは、親液性溶質のコロイド溶液であって、弾性力を有し流動性が小さい（ゼリー状）物質のゲルを意味している。
【０１０２】
この腹部電極用パッド３００は、円形の導電性ゲル３１０と、この導電性ゲル３１０を腹部電極２００に対して電気的に接触可能に保持するとともに、腹部電極２００に対して着脱可能に設けられる、一端側が開放した円筒形状のベース部材３２０とを備えている。ベース部材３２０には、ポリプロピレン系樹脂材料、ＡＢＳ樹脂等が用いられる。導電性ゲル３１０には、アクリル系高分子ゲル、ウレタン系ゲル等が用いられる。
【０１０３】
この腹部電極用パッド３００は、外径寸法（Ｗ１１）が約φ２６ｍｍ、導電性ゲル３１０を含む高さ（ｈ１）が約７ｍｍである。また、腹部電極用パッド３００の表面部分において、導電性ゲル３１０は、ベース部材３２０の縁部（Ｂ２で示す領域）が露出するようにベース部材３２０に保持されている。
【０１０４】
図６において、導電性ゲル３１０が設けられる領域（Ｂ１で示す領域）は直径が約２２ｍｍ、露出する縁部（Ｂ２で示す領域）の長さは、約２ｍｍである。これにより、腹部電極用パッド３００を把持した際に、導電性ゲル３１０が指先に接触するのを防ぐことができる。
【０１０５】
［腹部電極用パッド３００の腹部電極２００への着脱］
次に、図８から図１０を参照して、腹部電極用パッド３００の腹部電極２００への着脱について説明する。なお、図８は、図７中ＶＩＩＩ−ＶＩＩＩ線矢視断面図、図９および図１０は、腹部電極用パッド３００の腹部電極への取付けを示す第１および第２模式図である。
【０１０６】
図８に示すように、円筒形状のベース部材３２０の開放端側には、半径方向の内側に突出する凸部領域３２３が設けられている。この凸部領域３２３は、連続する環状形状に設けられても構わないし、不連続に複数箇所に設けられても構わない。
【０１０７】
図９に示すように、上方から、腹部電極用パッド３００を腹部電極２００に装着することで、図１０に示すように、ベース部材３２０の凸部領域３２３が一旦外側に拡げられるように弾性変形し、その後、凸部領域３２３が腹部電極２００の溝凹部２０２に係合する。これにより、腹部電極２００に腹部電極用パッド３００が固定される。この際、腹部電極用パッド３００に設けられた導電性ゲル３１０の下面側が、腹部電極２００の上面部分に電気的に導通可能に接触する。腹部電極用パッド３００を腹部電極２００から取り外す場合には、ベース部材３２０を指で摘み持ち上げる。
【０１０８】
［ベース部材３２０の詳細構造］
次に、図１１から図１４を参照して、ベース部材３２０の詳細構造について説明する。なお、図１１はベース部材３２０の構造を表面側から示す第１斜視図、図１２は図１１中ＸＩＩ−ＸＩＩ線矢視断面図、図１３はベース部材３２０の構造を表面側から示す第２斜視図、図１４はベース部材３２０の構造を裏面側から示す斜視図である。
【０１０９】
ベース部材３２０は、一端側が開放した円筒形状体３２２を有し、ポリプロピレン系樹脂材料、ＡＢＳ樹脂等が用いられている。導電性ゲル３１０が保持される円筒形状体３２２の他端側には、複数の開口部３２１ａが設けられた網状の保持面３２１を有している。
【０１１０】
保持面３２１に形成される開口部３２１ａは、同心円に設けられた複数の円弧形状の開口形態を有している。開口部３２１ａの半径方向の幅は約２ｍｍ、開口部３２１ａの間に位置する保持面３２１の幅は、約１ｍｍである。このように形成された開口部３２１ａを利用して、保持面３２１の表面側および裏面側に導電性ゲル３１０が塗布され、導電性ゲル３１０は、保持面３２１においてベース部材３２０と一体となるように保持されている。
【０１１１】
なお、導電性ゲル３１０が設けられる領域（図１２のＢ１で示す領域）における開口部３２１ａの合計面積は、導電性ゲル３１０が設けられる領域（図１２のＢ１で示す領域）の全面積の５０％以上であると良い。これにより、ベース部材３２０の保持面３２１に導電性ゲル３１０を塗布する際に、開口部からの気泡の逃げが容易になり、導電性ゲル３１０内への気泡の巻き込みを抑制することが可能となる。その結果、気泡の混入部分で導電性ゲル３１０の経時変化による痩せが防止され、内臓脂肪測定用装置における測定精度を安定させることができる。
【０１１２】
円筒形状体３２２の開放端側には、半径方向の内側に突出する凸部領域３２３が３箇所設けられている。この凸部領域３２３の突出長さ（ｂ）は、約０．５ｍｍである。また、ベース部材３２０の直径（Ｗ１１）は、上述したように約φ２６ｍｍ、ベース部材の高さ（ｈ２）は、約２ｍｍである。
【０１１３】
また、凸部領域３２３が設けられる領域の円筒形状体３２２の外周面に、スリット３２２ａを合計６箇所設け、このスリット３２２ａに挟まれた領域に半径方向外方に張り出す指掛かり部３２４が３箇所設けられている。また、上述した凸部領域３２３は、指掛かり部３２４が設けられる円筒形状体３２２の内周面に設けられている。これにより、腹部電極用パッド３００を腹部電極２００から取り外す場合に、この指掛かり部３２４により、スリット３２２ａに挟まれた領域を弾性変形させることで凸部領域３２３が外側に移動し、容易に腹部電極用パッド３００を腹部電極２００から取り外すことが可能となる。なお、凸部領域３２３および指掛かり部３２４の数量は、３つに限定されるものではなく、１箇所、２箇所、または、４箇所以上設けることが可能である。
【０１１４】
また、保持面３２１の裏面側には、複数の突起部３２１ｐが設けられている。保持面３２１の裏面側に突起部３２１ｐを設けることで、腹部電極用パッド３００を腹部電極２００に装着した後に、腹部電極用パッド３００が腹部電極２００側に押さえ付けられた場合でも、突起部３２１ｐが腹部電極２００の表面に当接し、保持面３２１の腹部電極２００側への移動を抑制する。その結果、保持面３２１から導電性ゲル３１０が押し出されることを防止し、導電性ゲル３１０の崩壊を阻止することが可能となる。
【０１１５】
［パッド用トレイ１０００の詳細構造］
次に、図１５から図２１を参照して、上記構成を有する腹部電極用パッド３００を収容するパッド用トレイ１０００の詳細構造について説明する。なお、図１５は、腹部電極用パッド３００を収容するパッド用トレイ１０００の斜視図、図１６は、腹部電極用パッド３００を収容する凹部領域１２１１の部分拡大平面図、図１７は、図１６中ＸＶＩＩ−ＸＶＩＩ線矢視断面図、図１８は、パッド用トレイ１０００に腹部電極用パッド３００を収容した状態の斜視図、図１９は、腹部電極用パッド３００をパッド用トレイ１０００に収容した状態の部分拡大斜視図、図２０は、図１９中ＸＸ線矢視断面図、図２１は、図１９中ＸＸＩ線矢視断面図である。
【０１１６】
図１５を参照して、本実施の形態の形態におけるパッド用トレイ１０００は、矩形形状を有するベース部１０００Ｂと、このベース部１０００Ｂの表面側が凹み、上述の構成を有する腹部電極用パッド３００を収容する８個の凹部領域１２１１，１２１２，１２１３，１２１４，１２２１，１２２２，１２２３，１２２４とを有している。
【０１１７】
本実施の形態におけるパッド用トレイ１０００は、本実施の形態おける体脂肪測定装置１に用いられる電極ベルト１００に採用される腹部電極Ａ１１〜Ａ１４，Ａ２１〜Ａ２４の数量に対応して、８箇所の凹部領域１２１１〜１２１４,１２２１〜１２２４が設けられている。したがって、凹部領域の数量は、８個に限定されず、必要に応じて適宜は決定される。
【０１１８】
本実施の形態において、ベース部１０００Ｂには、板状の樹脂成形品が用いられている。具体的な材料としては、ポリエチレンテレフタラート（ＰＥＴ：Polyethylene Terephthalate）、ポリエチレン（ＰＥ：polyethylene）、ポリプロピレン（ＰＰ：polypropylene）、ＡＢＳ（アクリロニトリル(Acrylonitrile)−ブタジエン(Butadiene)−スチレン(Styrene)、およびポリスチレン（ＰＳ：polystyrene）からなる群より選択される樹脂材料が用いられる。本実施の形態では、ＰＥＴが用いられている。
【０１１９】
本実施の形態において、凹部領域１２１１〜１２１４、凹部領域１２２１〜１２２４に、腹部電極用パッド３００を収容した状態で、裏面側から腹部電極用パッド３００の視認が可能なように、パッド用トレイ１０００の少なくとも凹部領域１２１１〜１２１４、凹部領域１２２１〜１２２４が、透光性を有していると良い。なお、本実施の形態においては、パッド用トレイ１０００の全体が透光性を有している。図１６および図１７を参照して、凹部領域１２１１〜１２１４、凹部領域１２２１〜１２２４の形状について説明する。本実施の形態においては、凹部領域１２１１〜１２１４、凹部領域１２２１〜１２２４はすべて同一の形状を有していることから、凹部領域１２１１の形状について説明する。
【０１２０】
凹部領域１２１１は、円形の底部領域１１００と、この底部領域１１００の周囲から起立し腹部電極用パッド３００を取り囲む側壁領域１４００とを有する。また、側壁領域１４００の深さよりも浅く、腹部電極用パッド３００に設けられる指掛かり部３２４を収容する第１浅瀬領域１１０１および第２浅瀬領域１１０２が設けられている。
【０１２１】
第１浅瀬領域１１０１は、腹部電極用パッド３００において、１２０°ピッチで設けられる３箇所の指掛かり部３２４のうち２箇所の指掛かり部３２４を収容可能なように、２箇所設けられている。第１浅瀬領域１１０１の深さは、側壁領域１４００の深さよりも浅く設けられている。
【０１２２】
第２浅瀬領域１１０２は、２箇所設けられている。一つは、第１浅瀬領域１１０１の間に設けられ、もう一つは、凹部領域１２１１を挟んで、１８０°反対側の領域に設けられている。したがって、３箇所の指掛かり部３２４のうち１箇所の指掛かり部３２４は、第２浅瀬領域１１０２に収容される。
【０１２３】
第２浅瀬領域１１０２は、平面的に見て、第１浅瀬領域１１０１よりも大きく設けられる。第２浅瀬領域１１０２の深さは、第１浅瀬領域１１０１の深さとほぼ同じである。また、第２浅瀬領域１１０２には、滑り止め用の凹凸領域１１０２ｔが設けられている。
【０１２４】
次に、図１８を参照して、パッド用トレイ１０００に腹部電極用パッド３００を収容した状態について説明する。図１８に示すように、本実施の形態では、８箇所の凹部領域１２１１，１２１２,１２１３,１２１４,１２２１，１２２２，１２２３，１２２４のそれぞれに、腹部電極用パッド３００の円筒形状体３２２の開放端側が露出するように収容されている。
【０１２５】
図１９から図２２を参照して、凹部領域１２１１への腹部電極用パッド３００の収容状態の詳細について説明する。なお、他の凹部領域１２１２,１２１３,１２１４,１２２１，１２２２，１２２３，１２２４への腹部電極用パッド３００の収容状態は、凹部領域１２１１への腹部電極用パッド３００の収容状態と同一であるため、重複する説明は繰り返さない。
【０１２６】
図１９および図２０を参照して、凹部領域１２１１の底部領域１１００の周縁部には、当接部１１１０が設けられている。この当接部１１１０は、図６に示す腹部電極用パッド３００の表面部分において、ベース部材３２０の縁部（Ｂ２で示す領域）が、導電性ゲル３１０から露出する領域に対応しており、側壁領域１４００に沿って環状に設けられている。
【０１２７】
凹部領域１２１１に腹部電極用パッド３００を収容した状態では、腹部電極用パッド３００の保持面３２１の縁部が当接部１１１０に載置される状態となる。その結果、腹部電極用パッド３００の保持面３２１と底部領域１１００との間に所定の間隙（Ｓ）が形成される。これにより、保持面３２１の表面側および裏面側に導電性ゲル３１０を流し込むことが可能となる。
【０１２８】
また、図１９および図２１を参照して、円筒形状体３２２の外周面には、指掛かり部３２４に対してスリット３２２ａを挟み込む領域に、周囲の円筒形状体３２２の厚さよりも厚さが薄く設けられる係合領域３２２ｂが設けられており、この係合領域３２２ｂに係合する支持領域１４１０が、側壁領域１４００に設けられている。
【０１２９】
本実施の形態において、支持領域１４１０は、側壁領域１４００から内周側に向かって突出するように成形された凸部であり、係合領域３２２ｂに対向する位置に合計６箇所設けられている。支持領域１４１０は、凹部領域１２１１に腹部電極用パッド３００を収容する際に腹部電極用パッド３００の円筒形状体３２２の外壁に押されて弾性変形する。
【０１３０】
その後、凹部領域１２１１に腹部電極用パッド３００の収容が完了することで弾性変形が解除されるとともに、支持領域１４１０が係合領域３２２ｂに係合して、支持領域１４１０と当接部１１１０とにより電極用パッド３００を挟み込み、底部領域１１００側に電極用パッド３００を付勢する。
【０１３１】
これにより、腹部電極用パッド３００を凹部領域１２１１に収容した状態を安定させることが可能となる。また、腹部電極用パッド３００の保持面３２１と底部領域１１００との間隙（Ｓ）への導電性ゲル３１０の流し込み時に、ベース部材３２０の浮き上がりを防止することが可能となる。
【０１３２】
（腹部電極用パッド３００の腹部電極への装着）
次に、図２２から図２７を参照して、腹部電極用パッド３００の腹部電極への装着について説明する。なお、図２２は、腹部電極用パッド３００を収容するパッド用トレイの平面図、図２３から図２７は、腹部電極用パッドを収容するパッド用トレイを用いた腹部電極用パッドの腹部電極への取付手順を示す第１から第５斜視図である。
【０１３３】
図２２参照して、本実施の形態では、腹部電極Ａ１１に装着される腹部電極用パッド３００の収容領域を第１凹部領域１２１１、腹部電極Ａ１２に装着される腹部電極用パッド３００の収容領域を第２凹部領域１２１２、腹部電極Ａ１３に装着される腹部電極用パッド３００の収容領域を第３凹部領域１２１３、腹部電極Ａ１４に装着される腹部電極用パッド３００の収容領域を第４凹部領域１２１４とした場合に、ベース部１０００Ｂの表面側において、凹部領域１２１１〜１２１４は、ベルト材１０１の長辺１０１ｂ方向に沿って、第１凹部領域１２１１、第３凹部領域１２１３、第２凹部領域１２１２、および第４凹部領域１２１４の順番に配置されている。
【０１３４】
同様に、腹部電極Ａ２１に装着される腹部電極用パッド３００の収容領域を第１凹部領域１２２１、腹部電極Ａ２２に装着される腹部電極用パッド３００の収容領域を第２凹部領域１２２２、腹部電極Ａ２３に装着される腹部電極用パッド３００の収容領域を第３凹部領域１２２３、腹部電極Ａ２４に装着される腹部電極用パッド３００の収容領域を第４凹部領域１２２４とした場合に、ベース部１０００Ｂの表面側において、凹部領域１２２１〜１２２４は、ベルト材１０１の長辺１０１ｂ方向に沿って、第１凹部領域１２２１、第３凹部領域１２２３、第２凹部領域１２２２、および第４凹部領域１２２４の順に配置されている。
【０１３５】
凹部領域１２１１〜１２１４と凹部領域１２２１〜１２２４との間の短辺１０１ａ方向の間隔は、第１電極Ａ１１〜第４電極Ａ１４と第１電極Ａ２１〜第４電極Ａ２４との間の間隔と同じＷ１に設けらている（図４参照）。なお、凹部領域の寸法引き出し位置は、円形形状の底部領域１１００の中心位置である。
【０１３６】
また、ベルト材１０１の長辺１０１ｂ方向に沿って、凹部領域１２１１と凹部領域１２１２との間隔はＰ１１、凹部領域１２１２と凹部領域１２１３との間隔はＰ１２、凹部領域１２１３と凹部領域１２１４との間隔はＰ１３に設けられている。さらに、Ｐ１１とＰ１２との合計は、腹部電極Ａ１１と腹部電極Ａ１２との間隔である、Ｐ１寸法となるように設けられ、Ｐ１２とＰ１３との合計は、腹部電極Ａ１３と腹部電極Ａ１４との間隔であるＰ３寸法となるように設けられている（図４参照）。
【０１３７】
同様に、ベルト材１０１の長辺１０１ｂ方向に沿って、凹部領域１２２１と凹部領域１２２２との間隔はＰ１１、凹部領域１２２２と凹部領域１２２３との間隔はＰ１２、凹部領域１２２３と凹部領域１２２４との間隔はＰ１３に設けられている。さらに、Ｐ１１とＰ１２との合計は、腹部電極Ａ２１と腹部電極Ａ２２との間隔である、Ｐ１寸法となるように設けられ、Ｐ１２とＰ１３との合計は、腹部電極Ａ２３と腹部電極Ａ２４との間隔であるＰ３寸法となるように設けられている（図４参照）。
【０１３８】
（腹部電極用パッド３００の取付手順）
次に、図２３から図２７を参照して、腹部電極用パッド３００を収容するパッド用トレイ１０００を用いた腹部電極用パッド３００の腹部電極Ａ１１〜Ａ１４，Ａ２１〜Ａ２４への取付手順について説明する。
【０１３９】
まず、図２３に示すように、パッド用トレイ１０００を裏返した状態で、凹部領域１２１１を腹部電極Ａ１１に覆い被せ、凹部領域１２１２を腹部電極Ａ１２に覆い被せ、凹部領域１２２１を腹部電極Ａ２１に覆い被せ、凹部領域１２２２を腹部電極Ａ２２に覆い被せる。その後、図２４に示すように、パッド用トレイ１０００を電極ベルト１００側に押さえ付ける。これにより、腹部電極Ａ１１，Ａ１２，Ａ２１，Ａ２２のそれぞれに腹部電極用パッド３００が装着される。
【０１４０】
この際、本実施の形態におけるパッド用トレイ１０００においては、腹部電極Ａ１１〜Ａ１４，Ａ２１〜Ａ２４の外周面に係合する凸部領域３２３は、円周上において係合領域３２２ｂおよび支持領域１４１０とずれた位置に設けられている。
【０１４１】
パッド用トレイ１０００を持ち上げる際には、滑り止め用の凹凸領域１１０２ｔが設けられた第２浅瀬領域１１０２を裏面側から押さえ付ける。これにより、凸部領域３２３の腹部電極Ａ２２への係合状態が維持されたまま、パッド用トレイ１０００の支持領域１４１０の周りが外側に向けて変形し、容易にパッド用トレイ１０００の支持領域１４１０と腹部電極用パッド３００の係合領域３２２ｂとの間の係合関係を解除することが可能となる。また、第２浅瀬領域１１０２には、導電性ゲル３１０は存在しないため、導電性ゲル３１０を崩壊させることはない。
【０１４２】
なお、支持領域１４１０の腹部電極用パッド３００を底部領域１１００に付勢する力は、凸部領域３２３が腹部電極Ａ１１〜Ａ１４，Ａ２１〜Ａ２４の外周面に係合する力よりも小さいと良い。
【０１４３】
以上により、図２４に示すように、腹部電極用パッド３００の腹部電極Ａ１１，Ａ１２，Ａ２１，Ａ２２への装着が完了する。
【０１４４】
次に、図２５に示すように、上記と同様の要領により、パッド用トレイ１０００を裏返した状態で、凹部領域１２１３を腹部電極Ａ１３に覆い被せ、凹部領域１２１４を腹部電極Ａ１４に覆い被せ、凹部領域１２２３を腹部電極Ａ２３に覆い被せ、凹部領域１２２４を腹部電極Ａ２４に覆い被せる。その後、図２６に示すように、パッド用トレイ１０００を電極ベルト１００側に押さえ付ける。これにより、腹部電極Ａ１３，Ａ１４，Ａ２３，Ａ２４のそれぞれに腹部電極用パッド３００が装着される。
【０１４５】
以上の手順により、図２７に示すように、腹部電極Ａ１１〜Ａ１４および腹部電極Ａ２１〜Ａ２４のそれぞれへの腹部電極用パッド３００の装着が完了する。
【０１４６】
なお、腹部電極Ａ１１〜Ａ１４および腹部電極Ａ２１〜Ａ２４の配置間隔と同一の凹部領域を有するパッド用トレイを準備することも可能であるが、その場合、パッド用トレイの大きさは、電極ベルト１００と略同じ大きさとなる。
【０１４７】
一方、図２２に示したように、本実施の形態におけるパッド用トレイ１０００においては、腹部電極を、腹部電極Ａ１１，１２，２１，２２（第１グループ）および腹部電極Ａ１３，１４，２３，２４（第２グループ）の２つのグループに分け、第１グループの凹部領域の間に第２グループの凹部領域の一方が位置するように、凹部領域を形成している。これにより、パッド用トレイ１０００を小型にすることが可能となる。
【０１４８】
なお、必ずしも、一つのパッド用トレイに全ての腹部電極に装着するための腹部電極用パッド３００を収容する凹部領域を設ける必要なく、図２２に示したパッド用トレイ１０００において、凹部領域１２１１、１２１３，１３１２，１２１４のみを一つのパッド用トレイに設けることも可能である。
【０１４９】
また、図２８に示すパッド用トレイ１０００Ａに示すように、一つのパッド用トレイに二つの凹部領域を設ける構成を採用することも可能である。また、二つの腹部電極用パッド３００を連結する連結部材３２０ｚを設けることで、腹部電極から腹部電極用パッド３００を取り外す際に、連結部材３２０ｚを持ち上げることで、同時に二つの腹部電極用パッド３００を取り外すことが可能となる。
【０１５０】
以上、上記パッド用トレイ１０００，１０００Ａを用いることで、導電性ゲルを有する腹部電極用パッド３００の取扱いが容易になり、腹部電極用パッド３００の腹部電極への装着を容易に行なうことが可能となる。
【０１５１】
また、凹部領域１２１１の底部領域１１００の周縁部に当接部１１１０を設けた場合には、腹部電極用パッド３００の保持面３２１と底部領域１１００との間に所定の間隙（Ｓ）が形成されることにより、保持面３２１の表面側および裏面側に導電性ゲル３１０を流し込むことが可能となる。支持領域１４１０を設けることで、導電性ゲル３１０の流し込み時におけるベース部材３２０の浮き上がりを防止し、導電性ゲル３１０の取扱いを容易にする。
【０１５２】
なお、予め導電性ゲル３１０が保持面３２１に設けられた腹部電極用パッド３００を用いる場合には、必ずしも、当接部１１１０および支持領域１４１０を凹部領域１２１１に設ける必要はない。
【０１５３】
［手足クリップ４００／上肢・下肢電極４０４］
次に、図２９を参照して、手足クリップ４００について説明する。なお、図２９は手足クリップ４００の構造を示す図である。
【０１５４】
図２９を参照して、手足クリップ４００は、第１挟持クリップ４０１と第２挟持クリップ４０２と有している。第１挟持クリップ４０１および第２挟持クリップ４０２は、対称となる緩いＳ字形状を有している。第１挟持クリップ４０１および第２挟持クリップ４０２は、弾性クリップ４０３により図中の矢印Ｓ方向に開閉可能に連結されている。
【０１５５】
第２挟持クリップ４０２の第１挟持クリップ４０１に対向する湾曲部分には、上肢電極Ｈ１１，Ｈ２１、または下肢電極Ｆ１１，Ｆ２１として機能する、ステンレス製の薄板状の上肢・下肢電極４０４が取り付けられている。
【０１５６】
［上肢・下肢電極用パッド５００］
次に、図３０から図３４を参照して、上肢・下肢電極用パッド５００について説明する。なお、図３０は上肢・下肢電極用パッド５００の構造を示す斜視図、図３１は、図３０中ＸＸＸＩ−ＸＸＸＩ線矢視断面図、図３２は図３０中ＸＸＸＩＩ−ＸＸＸＩＩ線矢視断面図である。
【０１５７】
図３０から図３２を参照して、この上肢・下肢電極用パッド５００は、長方形の導電性ゲル５１０と、この導電性ゲル５１０を上肢・下肢電極４０４に対して電気的に接触可能に保持するとともに、上肢・下肢電極４０４に対して着脱可能に設けられる、略矩形形状のベース部材５２０とを備えている。ベース部材５２０には、ポリプロピレン系樹脂材料、ＡＢＳ樹脂等が用いられる。導電性ゲル５１０には、アクリル系高分子ゲル、ウレタン系ゲル等が用いられる。
【０１５８】
この上肢・下肢電極用パッド５００は、最大長さ（Ｗ２１）が約７７ｍｍ、最大幅（Ｗ２２）が約３８ｍｍ、導電性ゲル５１０を含む高さ（ｈ２１）が約９ｍｍである。また、上肢・下肢電極用パッド５００の表面部分において、導電性ゲル５１０は、ベース部材５２０の縁部（Ｂ１２，Ｂ２２で示す領域）が露出するようにベース部材５２０に保持されている。
【０１５９】
図３０において、導電性ゲル５１０が設けられる領域（Ｂ１１，Ｂ１２で示す領域）はＢ１１が約７３ｍｍ、Ｂ２１が約３０ｍｍ、露出する縁部（Ｂ１２，Ｂ２２で示す領域）は、Ｂ１２およびＢ２２ともに、約２ｍｍである。これにより、上肢・下肢電極用パッド５００を把持した際に、導電性ゲル５１０が指先に接触するのを防ぐことができる。
【０１６０】
ベース部材５２０の四隅には、係合領域５２２が設けられている。この係合領域５２２は、ベース部材５２０から垂下する腕部５２２ａと、腕部５２２ａからベース部材５２０に対して平行に内側に延びる係合片５２２ｂとを有する。この係合領域５２２は、弾性変形可能に設けることも可能である。
【０１６１】
［上肢・下肢電極用パッド５００の上肢・下肢電極４０４への着脱］
次に、図３３および図３４を参照して、上肢・下肢電極用パッド５００の上肢・下肢電極４０４への着脱について説明する。なお、図３３は上肢・下肢電極用パッドの上肢・下肢電極への取付け状態を示す斜視図、図３４は、図３３中ＸＸＸＩＶ−ＸＸＸＩＶ線矢視断面図である。
【０１６２】
図３３および図３４に示すように、上肢・下肢電極用パッド５００のベース部材５２０に設けられた係合領域５２２を利用して、上肢・下肢電極４０４および第２挟持クリップ４０２を抱き込むようにして、上肢・下肢電極用パッド５００を上肢・下肢電極４０４に装着する。
【０１６３】
これにより、上肢・下肢電極用パッド５００に設けられた導電性ゲル５１０の下面側が、上肢・下肢電極４０４の上面部分に電気的に導通可能に接触する。上肢・下肢電極用パッド５００を上肢・下肢電極４０４から取り外す場合には、ベース部材５２０を指で摘み引き離す。
【０１６４】
［ベース部材５２０の詳細構造］
次に、図３５を参照して、ベース部材５２０の詳細構造について説明する。なお、図３５は、ベース部材５２０の構造を示す斜視図である。
【０１６５】
ベース部材５２０は、全体として略矩形形状を有し、ポリプロピレン系樹脂材料、ＡＢＳ樹脂等が用いられている。
【０１６６】
導電性ゲル５１０が保持される保持面５２１において、開口部５２１ａは、三角形状を有し、図示における上下方向において、隣接配置される三角形の斜辺が相互に平行となるように配置され、網状の形態を呈している。また、保持面５２１には、複数の突起部５２１ｐが設けられている。また、保持面５２１には、導電性ゲル５１０が設けられる領域（図３５のＢ１１，Ｂ２１で示す領域）を規定するように、一対の筋状の凸部壁５２１ｘが設けられている。
【０１６７】
このベース部材５２０における係合領域５２２は、保持面５２１に対して当接部５２２ｄおよび脆弱領域を構成する薄肉部５２２ｙを挟んで連結されている。係合領域５２２には、係合穴５２２ｘが設けられている。
【０１６８】
また、保持面５２１の係合領域５２２が連結される領域（図３５のＢ１１で示す領域の外側の領域）には、ベース部材５２０全体としての剛性を高めるため、導電性ゲル５１０が設けられる領域の保持面５２１の厚さよりも厚さが厚くなる厚肉部５２２ｚが設けられている。
【０１６９】
なお、このベース部材５２０を第２挟持クリップ４０２へ取付ける場合には、第２挟持クリップ４０２の側面に設けられる係合ピン（図示省略）が係合穴５２２ｘに挿入される。
【０１７０】
また、このベース部材５２０は、導電性ゲル５１０が設けられる領域（図３５のＢ１１，Ｂ２１で示す領域に相当）における開口部５２１ａの合計面積は、導電性ゲル５１０が設けられる領域（図３５のＢ１１，Ｂ２１で示す領域に相当）の全面積の５０％以上であると良い。
【０１７１】
これにより、保持面５２１に導電性ゲル５１０を塗布する際に、開口部からの気泡の逃げが容易になり、導電性ゲル５１０内への気泡の巻き込みを抑制することが可能となる。その結果、気泡の混入部分で導電性ゲル５１０の経時変化による痩せが防止され、内臓脂肪測定用装置における測定精度を安定させることができる。
【０１７２】
このように形成された開口部５２１ａを利用して、保持面５２１の表面側および裏面側に導電性ゲル５１０が塗布され、導電性ゲル５１０は、保持面５２１においてベース部材５２０と一体となるように保持される。
【０１７３】
［パッド用トレイ２０００の詳細構造］
次に、図３６から図３９を参照して、上記構成を有する上肢・下肢電極用パッド５００を収容するパッド用トレイ２０００の詳細構造について説明する。なお、図３６は、パッド用トレイ２０００に２つの上肢・下肢電極用パッド５００を収容した状態の斜視図、図３７は、パッド用トレイ２０００に１つの上肢・下肢電極用パッド５００を収容した状態の斜視図、図３８は、図３７中ＸＸＸＶＩＩＩ−ＸＸＸＶＩＩＩ線矢視断面図、図３９は、図３７中ＸＸＸＩＸ−ＸＸＸＩＸ線矢視断面図である。
【０１７４】
図３６および図３７を参照して、本実施の形態の形態におけるパッド用トレイ２０００は、全体として略矩形形状を有するベース部２０００Ｂと、このベース部２０００Ｂの表面側が凹み、上述の構成を有する上肢・下肢電極用パッド５００を収容する２個の凹部領域２０１１，２０１２とを有している。なお、凹部領域の数量は、２個に限定されず、必要に応じて適宜数量は決定される。
【０１７５】
本実施の形態において、ベース部２０００Ｂには、板状の樹脂成形品が用いられている。具体的な材料としては、ポリエチレンテレフタラート（ＰＥＴ：Polyethylene Terephthalate）、ポリエチレン（ＰＥ：polyethylene）、ポリプロピレン（ＰＰ：polypropylene）、ＡＢＳ（アクリロニトリル(Acrylonitrile)−ブタジエン(Butadiene)−スチレン(Styrene)、およびポリスチレン（ＰＳ：polystyrene）からなる群より選択される樹脂材料が用いられる。本実施の形態では、ＰＥＴが用いられている。
【０１７６】
図３６および図３７を参照して、凹部領域２０１１,２０１２の形状について説明する。本実施の形態においては、凹部領域２０１１および凹部領域２０１２は同一の形状を有していることから、凹部領域２０１２の形状について説明する。
【０１７７】
凹部領域２０１２は、矩形の底部領域２１００と、この底部領域２１００の周囲から起立し上肢・下肢電極用パッド５００を両側から囲む側壁領域２４００とを有する。また、側壁領域２４００の高さよりも低く、上肢・下肢電極用パッド５００に設けられる係合領域５２２を載置する凹部壁領域２２００が、それぞれの側壁領域２４００の両側に設けられている。
【０１７８】
また、底部領域２１００には、導電性ゲル５１０を流し込む領域を規定するためのゲル規制壁２３００が、両側の側壁領域２４００の内側を連結するように２箇所設けられている。凹部領域２０１２に上肢・下肢電極用パッド５００を載置した状態においては、ゲル規制壁２３００の上に、凸部壁５２１ｘが位置する。
【０１７９】
凹部領域２０１２と凹部領域２０１２との間、および、凹部領域２０１１の端部には、仕切壁２５００が設けられている。
【０１８０】
図３８および図３９を参照して、凹部領域２０１２の底部領域２１００の側壁領域２４００の略中央部には、当接部２１１０が設けられている。この当接部２１１０は、図３３に示す上肢・下肢電極用パッド５００の表面部分において、ベース部材５２０の縁部（Ｂ２２で示す領域）が、導電性ゲル５１０から露出する領域に対応している。
【０１８１】
図３８に示すように、凹部領域２０１２に上肢・下肢電極用パッド５００を収容した状態では、上肢・下肢電極用パッド５００のベース部材５２０の縁部が当接部２１１０に載置される状態となる。その結果、上肢・下肢電極用パッド５００の保持面５２１と底部領域２１００との間に所定の間隙（Ｓ）が形成されることなる。これにより、保持面５２１の表面側および裏面側に導電性ゲル５１０を流し込むことが可能となる。
【０１８２】
また、ゲル規制壁２３００よりも外側の側壁領域２４００の内側には、底部領域２１００から所定距離離れた位置に支持領域２４１０が設けられている。
【０１８３】
図３９に示すように、本実施の形態において、支持領域２４１０は、側壁領域１４００から内周側に向かって突出するように成形された凸部であり、側壁領域２４００の両端にそれぞれ１箇所、一つの凹部領域２０１２において合計４箇所設けられている。
【０１８４】
支持領域２４１０は、凹部領域２０１２に上肢・下肢電極用パッド５００を収容する際に保持面５２１の端部に押されて弾性変形する。その後、凹部領域２０１２に上肢・下肢電極用パッド５００の収容が完了することで弾性変形が解除されるとともに、支持領域２４１０が、上肢・下肢電極用パッド５００の保持面５２１を底部領域２１００側に付勢する。
【０１８５】
これにより、上肢・下肢電極用パッド５００を凹部領域２０１２に収容した状態を安定させることが可能となる。また、上肢・下肢電極用パッド５００の保持面５２１と底部領域２１００との間隙（Ｓ）への導電性ゲル５１０の流し込み時に、保持面５２１の浮き上がりを防止することも可能となる。
【０１８６】
なお、一つのパッド用トレイ２０００に２つの上肢・下肢電極用パッド５００を収容する凹部領域２０１１，２０１２を設ける場合に限定されるものではなく、一つのパッド用トレイに一つの上肢・下肢電極用パッド５００を収容する構成、または、一つのパッド用トレイに３以上の上肢・下肢電極用パッド５００を収容する構成を採用することも可能である。
【０１８７】
以上、上記パッド用トレイ２０００を用いることで、導電性ゲルを有する上肢・下肢電極用パッド５００の取扱いが容易になる。
【０１８８】
また、凹部領域２０１１，２０１２の底部領域２１００の縁部に当接部２１１０を設けた場合には、上肢・下肢電極用パッド５００の保持面５２１と底部領域２１００との間に所定の間隙（Ｓ）が形成されることにより、保持面５２１の表面側および裏面側に導電性ゲル５１０を流し込むことが可能となる。また、支持領域２４１０を設けることで、導電性ゲル５１０の流し込み時におけるベース部材５２０の浮き上がりを防止し、導電性ゲル５１０の取扱いを容易にする。
【０１８９】
なお、予め導電性ゲル５１０が保持面５２１に設けられた上肢・下肢電極用パッド５００を用いる場合には、必ずしも、当接部２１１０および支持領域２４１０を凹部領域２０１１，２０１２に設ける必要はない。
【０１９０】
なお、上記実施の形態では、体脂肪測定装置に用いられる電極に装着される電極用パッドおよびその電極用パッドを収容するパッド用トレイについて説明しているが、本電極用パッドは、体脂肪測定装置に用いられる電極に限定されるものではない。たとえば、心電図、筋電図、低周波マッサージャー、ＥＭＳ(Electro Muscle Stimulation)、脳波形測定装置等に用いられる電極に対して、本発明に基づく電極用パッドおよびパッド用トレイを適用することが可能である。
【０１９１】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【０１９２】
１  体脂肪測定装置、１０  制御部、１１  演算処理部、１２  インピーダンス算出部、１３  各種脂肪量算出部、１４  体脂肪量算出部、１５  部位別脂肪量算出部、１６  内臓脂肪量算出部、１７  皮下脂肪量算出部、２１  定電流生成部、２２  端子切替部、２３  電位差検出部、２４  体格情報計測部、２５  被験者情報入力部、２６  表示部、２７  操作部、２８  電源部、２９  メモリ部、３２０，５２０  ベース部材、１００  電極ベルト、１０１  ベルト材、１０１ａ  短辺、１０１ｂ  長辺、２００  腹部電極、２０１  円筒電極部、２０２  溝凹部、３００  腹部電極用パッド、３１０，５１０  導電性ゲル、３２０ｚ  連結部材、３２１，５２１  保持面、３２１ａ，５２１ａ  開口部、３２１ｐ，５２１ｐ  突起部、３２２  円筒形状体、３２２ａ  スリット、３２２ｂ，５２２  係合領域、３２３  凸部領域、３２４  指掛かり部、４００  手足クリップ、４０１  第１挟持クリップ、４０２  第２挟持クリップ、４０３  弾性クリップ、４０４  上肢・下肢電極、５００  下肢電極用パッド、５２１ｘ  凸部壁、５２２ａ  腕部、５２２ｂ  係合片、５２２ｄ，１１１０，２１１０  当接部、５２２ｘ  係合穴、５２２ｙ  薄肉部、５２２ｚ  厚肉部、１０００，１０００Ａ，２０００  パッド用トレイ、１０００Ｂ，２０００Ｂ  ベース部、１１００，２１００  底部領域、１１０１  第１浅瀬領域、１１０２  第２浅瀬領域、１１０２ｔ  凹凸領域、１２１１，１２２１  凹部領域（第１凹部領域）、１２１２，１２２２  凹部領域（第２凹部領域）、１２１３，１２２３  凹部領域（第３凹部領域）、１２１４，１２２４  凹部領域（第４凹部領域）、１４００，２４００  側壁領域、１４１０  支持領域、２２００  凹部壁領域、２３００  ゲル規制壁、２５００  仕切壁、ＡＰ１，ＡＰ２，ＡＰ３，ＡＰ４  腹部電極対、Ａ１１，Ａ２１  第１電極（腹部電極）、Ａ１２，Ａ２２  第２電極（腹部電極）、Ａ１３，Ａ２３  第３電極（腹部電極）、Ａ１４，Ａ２４  第４電極（腹部電極）、Ｆ１１，Ｆ２１  下肢電極、Ｈ１１，Ｈ２１  上肢電極。
【図１】
0005751003.tif 000002
【図２】
0005751003.tif 000003
【図３】
0005751003.tif 000004
【図４】
0005751003.tif 000005
【図５】
0005751003.tif 000006
【図６】
0005751003.tif 000007
【図７】
0005751003.tif 000008
【図８】
0005751003.tif 000009
【図９】
0005751003.tif 000010
【図１０】
0005751003.tif 000011
【図１１】
0005751003.tif 000012
【図１２】
0005751003.tif 000013
【図１３】
0005751003.tif 000014
【図１４】
0005751003.tif 000015
【図１５】
0005751003.tif 000016
【図１６】
0005751003.tif 000017
【図１７】
0005751003.tif 000018
【図１８】
0005751003.tif 000019
【図１９】
0005751003.tif 000020
【図２０】
0005751003.tif 000021
【図２１】
0005751003.tif 000022
【図２２】
0005751003.tif 000023
【図２３】
0005751003.tif 000024
【図２４】
0005751003.tif 000025
【図２５】
0005751003.tif 000026
【図２６】
0005751003.tif 000027
【図２７】
0005751003.tif 000028
【図２８】
0005751003.tif 000029
【図２９】
0005751003.tif 000030
【図３０】
0005751003.tif 000031
【図３１】
0005751003.tif 000032
【図３２】
0005751003.tif 000033
【図３３】
0005751003.tif 000034
【図３４】
0005751003.tif 000035
【図３５】
0005751003.tif 000036
【図３６】
0005751003.tif 000037
【図３７】
0005751003.tif 000038
【図３８】
0005751003.tif 000039
【図３９】
0005751003.tif 000040